【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
複数の原稿を１枚づつ順に搬送する原稿搬送手段と、
前記原稿上の画像を読み取り画像データを出力する読取手段と、
前記読取手段の読取位置に存在する異物を検知する異物検知手段と、
前記異物検知手段による検知結果に応じて、前記原稿搬送手段により第１の紙間距離で原稿を搬送しながら所定の読取位置で前記読取手段が当該原稿上の画像を読み取る第１の流し読みモードと、前記原稿搬送手段により前記第１の紙間距離よりも長い第２の紙間距離で原稿を搬送しながら所定の読取位置で前記読取手段が当該原稿上の画像を読み取る第２の流し読みモードのいずれか一方のモードを選択的に実行するように前記原稿搬送手段及び前記読取手段を制御する制御手段とを備えることを特徴とする画像読取装置。
【請求項２】
前記異物検知手段により検知された異物に関する情報を保持する保持手段を備え、前記制御手段は、前記保持手段に保持された情報に応じて前記第１の流し読みモードと前記第２の流し読みモードのいずれか一方のモードを選択的に実行するように制御することを特徴とする請求項１に記載の画像読取装置。
【請求項３】
前記異物検知手段により検知された異物の前記画像データに対する影響を軽減する補正手段を備えたことを特徴とする請求項１記載の画像読取装置。
【請求項４】
前記異物に関する情報は、前記補正手段による補正処理が正常に終了できなかった回数を含むことを特徴とする請求項３記載の画像読取装置。
【請求項５】
前記異物に関する情報は、前記異物検知手段により検知された異物の個数を含むことを特徴とする請求項１乃至４のいずれか１項記載の画像読取装置。
【請求項６】
前記補正手段による補正処理が正常に終了できなかった回数が所定値を超えた場合に、前記制御手段は、前記第２の流し読みモードを実行するように前記原稿搬送手段及び前記読取手段を制御することを特徴とする請求項４記載の画像読取装置。
【請求項７】
前記異物検知手段により検知された異物の個数が継続的に所定値を超えた場合に、前記制御手段は、前記第２の流し読みモードを実行するように前記原稿搬送手段及び前記読取手段を制御することを特徴とする請求項５記載の画像読取装置。
【請求項８】
前記制御手段は、前記異物検知手段による検知結果に応じて、さらに前記原稿搬送手段により原稿を搬送して当該原稿を所定の位置に固定し、前記読取手段を移動させて前記読取手段により当該原稿上の画像を読み取る固定読みモードを選択的に実行するように前記原稿搬送手段及び前記読取手段を制御することを特徴とする請求項１乃至７のいずれか１項記載の画像読取装置。
【請求項９】
前記読取手段により原稿上の画像を高画質で読み取る高画質モードを設定する設定手段を備え、
前記設定手段により高画質モードが設定された場合に、前記制御手段は、前記第２の流し読みモード又は前記固定読みモードを実行するように前記原稿搬送手段及び前記読取手段を制御することを特徴とする請求項８記載の画像読取装置。
【請求項１０】
複数の原稿を１枚づつ順に搬送する原稿搬送手段と、前記原稿上の画像を読み取り画像データを出力する読取手段とを備える画像読取装置の制御方法において、
前記読取手段の読取位置に存在する異物を検知する異物検知工程と、
前記異物検知工程による検知結果に応じて、前記原稿搬送手段により第１の紙間距離で原稿を搬送しながら所定の読取位置で前記読取手段が当該原稿上の画像を読み取る第１の流し読みモードと、前記原稿搬送手段により前記第１の紙間距離よりも長い第２の紙間距離で原稿を搬送しながら所定の読取位置で前記読取手段が当該原稿上の画像を読み取る第２の流し読みモードのいずれか一方のモードを実行するように前記原稿搬送手段及び前記読取手段を制御する制御工程とを備えることを特徴とする画像読取装置の制御方法。
【請求項１１】
複数の原稿を１枚づつ順に搬送する原稿搬送手段と、前記原稿上の画像を読み取り画像データを出力する読取手段とを備える画像読取装置で実行される制御プログラムにおいて、
前記読取手段の読取位置に存在する異物を検知する異物検知モジュールと、
前記異物検知モジュールによる検知結果に応じて、前記原稿搬送手段により第１の紙間距離で原稿を搬送しながら所定の読取位置で前記読取手段が当該原稿上の画像を読み取る第１の流し読みモードと、前記原稿搬送手段により前記第１の紙間距離よりも長い第２の紙間距離で原稿を搬送しながら所定の読取位置で前記読取手段が当該原稿上の画像を読み取る第２の流し読みモードのいずれか一方のモードを実行するように前記原稿搬送手段及び前記読取手段を制御する制御モジュールとを備えることを特徴とする制御プログラム。
【手続補正２】
【補正対象書類名】明細書
【補正対象項目名】００１０
【補正方法】変更
【補正の内容】
【００１０】
上記目的を達成するために、請求項１の画像読取装置は、複数の原稿を１枚づつ順に搬送する原稿搬送手段と、前記原稿上の画像を読み取り画像データを出力する読取手段と、前記読取手段の読取位置に存在する異物を検知する異物検知手段と、前記異物検知手段による検知結果に応じて、前記原稿搬送手段により第１の紙間距離で原稿を搬送しながら所定の読取位置で前記読取手段が当該原稿上の画像を読み取る第１の流し読みモードと、前記原稿搬送手段により前記第１の紙間距離よりも長い第２の紙間距離で原稿を搬送しながら所定の読取位置で前記読取手段が当該原稿上の画像を読み取る第２の流し読みモードのいずれか一方のモードを選択的に実行するように前記原稿搬送手段及び前記読取手段を制御する制御手段とを備えることを特徴とする。
【手続補正３】
【補正対象書類名】明細書
【補正対象項目名】００１１
【補正方法】変更
【補正の内容】
【００１１】
請求項１０の画像読取装置の制御方法は、複数の原稿を１枚づつ順に搬送する原稿搬送手段と、前記原稿上の画像を読み取り画像データを出力する読取手段とを備える画像読取装置の制御方法において、前記読取手段の読取位置に存在する異物を検知する異物検知工程と、前記異物検知工程による検知結果に応じて、前記原稿搬送手段により第１の紙間距離で原稿を搬送しながら所定の読取位置で前記読取手段が当該原稿上の画像を読み取る第１の流し読みモードと、前記原稿搬送手段により前記第１の紙間距離よりも長い第２の紙間距離で原稿を搬送しながら所定の読取位置で前記読取手段が当該原稿上の画像を読み取る第２の流し読みモードのいずれか一方のモードを実行するように前記原稿搬送手段及び前記読取手段を制御する制御工程とを備えることを特徴とする。
【手続補正４】
【補正対象書類名】明細書
【補正対象項目名】００１２
【補正方法】変更
【補正の内容】
【００１２】
請求項１１の制御プログラムは、複数の原稿を１枚づつ順に搬送する原稿搬送手段と、前記原稿上の画像を読み取り画像データを出力する読取手段とを備える画像読取装置で実行される制御プログラムにおいて、前記読取手段の読取位置に存在する異物を検知する異物検知モジュールと、前記異物検知モジュールによる検知結果に応じて、前記原稿搬送手段により第１の紙間距離で原稿を搬送しながら所定の読取位置で前記読取手段が当該原稿上の画像を読み取る第１の流し読みモードと、前記原稿搬送手段により前記第１の紙間距離よりも長い第２の紙間距離で原稿を搬送しながら所定の読取位置で前記読取手段が当該原稿上の画像を読み取る第２の流し読みモードのいずれか一方のモードを実行するように前記原稿搬送手段及び前記読取手段を制御する制御モジュールとを備えることを特徴とする。
【手続補正５】
【補正対象書類名】明細書
【補正対象項目名】００９０
【補正方法】変更
【補正の内容】
【００９０】
以上、詳細に説明したように、本実施の形態によれば、異物に関する履歴情報に応じて、紙間距離Ｌ１で原稿を搬送する第１の流し読みモードが紙間距離Ｌ１よりも長い紙間距離Ｌ２で原稿を搬送する第２の流し読みモードに切り替えられるので、流し読みジョブ中の過去の異物（ゴミ）に関する履歴に応じて流し読み時の紙間距離を長くすることができる。結果として、次の原稿が搬送されるまでの時間が長くなり、その長くなった時間で異物の検知や検知された異物の補正の処理を精密に行うことができ、ゴミ等の影響のない良好な画像を読み取ることができる。